(57)【要約】     【課題】  天井の点検口に取つける断熱用中蓋に係り、点検口の開閉に伴う中蓋の着脱操作が簡単で、断熱保温性に富んだ中蓋を提供する。    【解決手段】  天井の点検口２の内側に発泡材製の枠材５が固定され、この枠材５の内方に発泡材製の中蓋４が嵌合する。中蓋４の下面板１３の内側には溝１５があって、ここに開閉操作体１４が嵌め込まれている。開閉操作体１４は発泡弾性材製で、中央に取手１７の付いたボス部１６があって、溝１５に回動自在に嵌合している。ボス部１６からは、２本の腕部１８が伸びていて、その先端に出没係合部１９が付いている。取手１７を持って回動させる。腕部１８が弾性変形し、出没係合部１９が出没し、枠材５の内面の係止部２１と掛り合う。【選択図】  図１
2005090064.tif 000002
【特許請求の範囲】
【請求項１】
天井の点検口の内側に固定設置される発泡材製の枠材と、この枠材の内面に着脱自在に嵌合される中蓋とからなり、中蓋は全体が発泡材製で、その下面板には溝が形成されていて、この溝内に発泡弾性材製の開閉操作体が取付けられ、この開閉操作体の中央には取手の付いたボス部があって、溝内に回動自在に位置し、このボス部には複数の腕部が付いていて、この腕部の先端には出没係合部が設けられていて、ボス部を回動させると、腕部が変形して出没係合部が中蓋の側面から出没し、枠材の内面に設けられた係止部と係脱する天井点検口の断熱用中蓋。
【請求項２】
開閉操作体が、発泡合成樹脂弾性材製である請求項１記載の天井点検口の断熱用中蓋。
【発明の詳細な説明】
【技術分野】
【０００１】
本発明は、住宅などの建物の天井に設けられる、点検口の断熱用中蓋に関する。
【背景技術】
【０００２】
住宅の天井には、人が出入りできる大きさの点検口が設けられ、この点検口には開閉自在な蓋が取付けられる。しかし、このような一重の外蓋だけでは、保温性が不充分で、室内の暖気が容易に逃げてしまうので、寒冷地などでは、蓋の内側に更に断熱用の中蓋を取付け、蓋を二重構造にして、保温を図るのが一般的である。この断熱用中蓋は、通常、発泡合成樹脂で作られ、軽量ではあるが、かなりの厚さを有するものであり、これを外蓋の内側に着脱自在に取付けるのである。従来、この中蓋の着脱の係止には、縁部の対向する２箇所に、閂状のバー部材を取付けて、このバー部材をスライドさせて、中蓋の側方に出没させ、固定の枠材に掛け止める方式が提案されている（例えば、特許文献１参照）。
【０００３】
【特許文献１】特開２００１−１４０４６０号公報
【発明の開示】
【発明が解決しようとする課題】
【０００４】
ところが、前記従来の閂状のバー部材は、２箇所に設けられていて、これを別個に出没操作する必要がある為、取付け・取外し操作が面倒であり、かつ、係止状態での固定保持力も不充分で、不用意に中蓋が脱落してしまうという問題がある。
【０００５】
本発明は、このような点に鑑み、蓋開閉時の取付け・取外し操作が簡単で、かつ、取付け状態での固定保持も充分な、天井点検口の断熱用中蓋を提供するにある。更に、本発明は、全体が断熱材製で、断熱・保温性が高く、かつ、構造が簡単で、廉価に実施可能な断熱用中蓋を提供するにある。
【課題を解決するための手段】
【０００６】
本発明の断熱用中蓋の技術的手段は、天井の点検口の内側に固定設置される発泡材製の枠材と、この枠材の内面に着脱自在に嵌合される中蓋とからなり、中蓋は全体が発泡材製で、その下面板には溝が形成されていて、この溝内に発泡弾性材製の開閉操作体が取付けられ、この開閉操作体の中央には取手の付いたボス部があって、溝内に回動自在に位置し、このボス部には複数の腕部が付いていて、この腕部の先端には出没係合部が設けられていて、ボス部を回動させると、腕部が変形して出没係合部が中蓋の側面から出没し、枠材の内面に設けられた係止部と係脱することにある。
【０００７】
また、開閉操作体を、発泡合成樹脂弾性材製とするのが好ましい。
【発明の効果】
【０００８】
本発明の断熱用中蓋は、天井の点検口の外蓋の内側に別個に取付けられ、かつ、中蓋は全体が発泡体製であるので、点検口を充分に断熱遮蔽でき、室内の保温性の向上を図れる。更に、中蓋の着脱時の操作は、開閉操作体の中央の取手を持って、これに回動を加え、両側の出没係合部を没入させて、枠材の係止部から離脱させ、中蓋を取外すようにする。この為、取手を持って、中蓋の荷重を支えつつ、これに回動を加えることができ、中蓋の取付け・取外し操作を１人の作業者で、簡単に行うことができる。更に中蓋の取付け状態での保持は、開閉操作体の弾性力によって行うので、容易に掛け合いの外れることがなく、中蓋が不用意に脱落するのを防止できる。更に、本発明は構成が簡単で、廉価に実施できるなどの利点を有する。
【０００９】
請求項２のものは、開閉操作体が発泡合成樹脂弾性材製であるので、充分な弾性力を有し、強度や耐久性もあって、実用上、充分なものである。
【発明を実施するための最良の形態】
【００１０】
本発明の断熱用中蓋の実施するための最良の形態を、図面の実施例に基づいて説明する。図１は取付状態の断面図であり、１は天井板、２は天井面の一部に設けられた点検口である。この点検口２には、適当な外蓋３が開閉自在に取付けられている。４は中蓋で、外蓋３の内側に取付けられる。５は中蓋４を保持するための枠材で、点検口２の内側に固定設置される。なお、中蓋４や枠材５は、全て発泡合成樹脂製で、断熱・保温性は高い。
【００１１】
中蓋４は、箱体１１の内側に、発泡ポリスチロール樹脂製の芯材１２を充填させた構成の、厚さのあるブロック体である。実施例では、縦×横×厚さは４５０×４５０×２２５ｍｍである。箱体１１は下面板１３を有し、その内側には開閉操作体１４が設けられている。なお、箱体１１の材質は、その下面板１３を含め、発泡ポリエチレン樹脂と発泡ポリスチロール樹脂との重合体製で、芯材１２よりも強度を高めてある。
【００１２】
図２に示されるように、下面板１３の内側には、溝１５が形成されていて、この溝１５に開閉操作体１４が嵌り込んでいる。開閉操作体１４は発泡ポリエチレン樹脂製で、弾力性と一定の強度とを備えている。また、開閉操作体１４は、中央にボス部１６があって、下面板１３の溝１５の中に回動自在に設けられている。１７は回動させる際の取手である。ボス部１６からは２本の腕部１８が延びていて、その先端に出没係合部１９が取付けられている。従って、開閉操作体１４を、取手１７を持って回動させれば、その弾性によって、腕１８が撓み変形して、出没係合部１９が、中蓋４の側方から没入するようになり、取手１７を離せば、弾性復元力によって、腕１８の変形が戻り、出没係合部１９が、中蓋４の側方から再び突出するようになる。なお、溝１５羽、開閉操作体１４が変形するのに充分なだけの広さを有する。
【００１３】
枠材５は、中蓋４の４周を囲むように設けられている。また、枠材５と中蓋４との間には、ほとんど隙間が生じないように成形されていて、かつ、中蓋４の抜き挿しは自在になっている。枠材５の内面には、係止部２１が形成されていて、中蓋４の出没係合部１９が突出した時に互に掛り合うようになる。なお、枠材５の材質は、発泡ポリエチレン樹脂と、発泡ポリスチレン樹脂との重合体製である。
【００１４】
以上のように前記の断熱用中蓋４は、天井の点検口２の内側に、外蓋３とは別個に取付けられている。また、この中蓋４及び枠材５は、全体が発泡合成樹脂製で、断熱性に富むので、点検口２を完全に断熱遮蔽でき、点検口からの暖気の逃げを防止できて、室内の保温性の向上を図ることができる。更に、中蓋４の取付け・取外しは、取手１７を回動させて、開閉操作体１４を弾性変形させ、出没係合部１９を、中蓋４の側面から出没させ、枠材５の係止部２１と係脱させて行うので、操作が簡単で、作動が確実であり、両側での出没を、中央の１箇所の取手の回動で行えるので、取手で中蓋４の荷重を支持して、１人で簡単に中蓋４の着脱操作が可能である。また、中蓋４の固定は、出没係合部１９を、枠材５の係止部２１に引掛けるだけであるが、中蓋４は比較的軽量であるので、支持力は充分である。また、固定の保持は、開閉操作体１４の弾性力によっていて、常時、出没係合部１９には突出方向に力が作用しているので、容易に係合が離脱することはなく、中蓋４が不用意に脱落するのを防止できる。
【００１５】
本発明は、前記の実施例に限定されるものではなく、特許請求の範囲の記載の範囲内で自由に変形実施可能である。特に、中蓋や枠材の発泡体の材質については自由であり、開閉操作体の形状や材質についても自由である。
【図面の簡単な説明】
【００１６】
【図１】本発明の断熱用中蓋の取付状態の断面図。
【図２】開閉操作体の係合関係を示す平面図。
【符号の説明】
【００１７】
１      天井板
２      点検口
３      外蓋
４      中蓋
５      枠材
１１    箱体
１２    芯材
１３    下面板
１４    開閉操作体
１５    溝
１６    ボス部
１７    取手
１８    腕部
１９    出没係合部
２１    係止部
【図１】
2005090064.tif 000003
【図２】
2005090064.tif 000004